(57)【要約】【課題】情報機器の使用許可、および使用制限等のアクセス制御、および使用場所の管理を各々機器の利用者に意識させず自動で行い、セキュリティを向上するセキュリティシステムを得る。【解決手段】セキュリティシステムは、情報機器のロックの施解錠を制御することにより上記情報機器のセキュリティを確保するセキュリティシステムにおいて、自身の位置情報を取得するとともに取得した上記位置情報を上記情報機器にネットワークを介して送信する携帯機器を備え、上記情報機器は、予め自身の位置情報が記憶されているとともに上記携帯機器から送信された上記携帯機器の位置情報と自身の位置情報が一致するとき上記ロックを解錠する。【選択図】図１
2012165061.tif 000002
【特許請求の範囲】
【請求項１】
情報機器のロックの施解錠を制御することにより上記情報機器のセキュリティを確保するセキュリティシステムにおいて、
自身の位置情報を取得するとともに取得した上記位置情報を上記情報機器にネットワークを介して送信する携帯機器を備え、
上記情報機器は、予め自身の位置情報が記憶されているとともに上記携帯機器から送信された上記携帯機器の位置情報と自身の位置情報が一致するとき上記ロックを解錠することを特徴とするセキュリティシステム。
【請求項２】
情報機器のロックの施解錠を制御することにより上記情報機器のセキュリティを確保するセキュリティシステムにおいて、
自身の位置情報を取得するとともに取得した上記位置情報を上記情報機器にネットワークを介して送信する携帯機器を備え、
上記情報機器は、自身の位置情報を取得するとともに上記携帯機器から送信された上記携帯機器の位置情報と自身の位置情報が一致するとき上記ロックを解錠することを特徴とするセキュリティシステム。
【請求項３】
情報機器のロックの施解錠を制御することにより上記情報機器のセキュリティを確保するセキュリティシステムにおいて、
自身の位置情報を取得するとともに予め上記情報機器の位置情報が記憶されている携帯機器を備え、
上記携帯機器は、上記自身の位置情報と上記情報機器の位置情報が一致するときアクセス制御コマンドを上記情報機器にネットワークを介して送信し、
上記情報機器は、上記携帯機器から上記アクセス制御コマンドを受信したとき上記ロックを解錠することを特徴とするセキュリティシステム。
【請求項４】
情報機器のロックの施解錠を制御することにより上記情報機器のセキュリティを確保するセキュリティシステムにおいて、
自身の位置情報を取得する携帯機器を備え、
上記情報機器は、自身の位置情報を取得するとともに取得した位置情報を上記携帯機器にネットワークを介して送信し、
上記携帯機器は、上記自身の位置情報と上記情報機器から送信された位置情報が一致するときアクセス制御コマンドを上記情報機器に上記ネットワークを介して送信し、
上記情報機器は、上記携帯機器から上記アクセス制御コマンドを受信したとき上記ロックを解錠することを特徴とするセキュリティシステム。
【請求項５】
上記情報機器は、外部からの操作によりロックの解錠を要求するコマンドを上記携帯機器に上記ネットワークを介して送信し、
上記携帯機器は、上記情報機器からロックの解錠を要求するコマンドを受信したとき外部からの操作によりアクセス制御コマンドを上記情報機器に上記ネットワークを介して送信し、
上記情報機器は、上記携帯機器から上記アクセス制御コマンドを受信したとき上記ロックを解錠することを特徴とする請求項１乃至４のいずれかに記載のセキュリティシステム。
【請求項６】
情報機器のロックの施解錠を制御することにより上記情報機器のセキュリティを確保するセキュリティシステムにおいて、
自身の位置情報を取得するとともに上記情報機器とネットワークを介して接続することができる携帯機器と、
上記ネットワークに接続されるサーバーと、
を備え、
上記携帯機器は、上記自身の位置情報を上記サーバーに上記ネットワークを介して送信し、
上記サーバーは、予め上記情報機器の位置情報が記憶されているとともに、上記携帯機器の位置情報と上記情報機器の位置情報が一致するときアクセス制御コマンドを上記情報機器に上記ネットワークを介して送信し、
上記情報機器は、上記サーバーから上記アクセス制御コマンドを受信したとき上記ロックを解錠することを特徴とするセキュリティシステム。
【請求項７】
情報機器のロックの施解錠を制御することにより上記情報機器のセキュリティを確保するセキュリティシステムにおいて、
自身の位置情報を取得するとともに上記情報機器とネットワークを介して接続することができる携帯機器と、
上記ネットワークに接続されるサーバーと、
を備え、
上記情報機器は、自身の位置情報を取得するとともに上記自身の位置情報を上記サーバーに上記ネットワークを介して送信し、
上記携帯機器は、上記自身の位置情報を上記サーバーに上記ネットワークを介して送信し、
上記サーバーは、上記携帯機器の位置情報と上記情報機器の位置情報が一致するときアクセス制御コマンドを上記情報機器に上記ネットワークを介して送信し、
上記情報機器は、上記サーバーから上記アクセス制御コマンドを受信したとき上記ロックを解錠することを特徴とするセキュリティシステム。
【発明の詳細な説明】
【技術分野】
【０００１】
この発明は、位置情報を利用して情報機器のセキュリティを担保するセキュリティシステムに関するものである。
【背景技術】
【０００２】
近年、企業ではセキュリティ意識の向上によるセキュリティ対策の一貫として、Ｐｅｒｓｏｎａｌ  ｃｏｍｐｕｔｅｒ（以下、ＰＣと称す）にログオンする場合、パスワードによりＰＣの使用にロックをかけることを推奨することが多くなった。使用中のＰＣから離れる度に、スクリーンセーバ等によるロックを施錠し、再度そのＰＣを使用するときには、ロックを解錠することで、セキュリティが向上する。
しかし、離席のたびにロックを施錠する行為、および解錠する行為が煩わしいため、結局ロックを施錠せず、セキュリティが担保できない状態となることが多い。
また、正しいパスワードが漏洩していると、ＰＣから離れた場合にロックを施錠していてもＰＣへの不正アクセスを許してしまう（例えば、特許文献１参照）。
【０００３】
また、近年、携帯電話などに実装されているＧｌｏｂａｌ  Ｐｏｓｉｔｉｏｎｉｎｇ  Ｓｙｓｔｅｍ（以下、ＧＰＳと称す）を利用した位置情報の利用が盛んになっている。ここでの位置情報とは、ＧＰＳから取得した緯度、経度、高度、測位時刻などの情報を示している。従来、難しかった屋内測位についても、無線ＬＡＮを採用した位置情報取得技術（Ｐｌａｃｅ  Ｅｎｇｉｎｅ）や、Ｉｎｄｏｏｒ  Ｍｅｓｓａｇｉｎｇ  Ｓｙｓｔｅｍ（以下、ＩＭＥＳと称す）により屋内測位の精度が急速に向上している（例えば、非特許文献１、２参照）。
【先行技術文献】
【特許文献】
【０００４】
【特許文献１】特開２００８−１０８０８４号公報
【非特許文献】
【０００５】
【非特許文献１】暦本純一、他３名，「ＰｌａｃｅＥｎｇｉｎｅ：実世界集合知に基づくＷｉＦｉ位置情報基盤」，インターネットコンファレンス２００６論文集，インターネットコンファレンス２００６実行委員会，２００６年，ｐ．９５−１０４
【非特許文献２】石井真，「準天頂衛星システムと地上補完システム（ＩＭＥＳ：Ｉｎｄｏｏｒ  Ｍｅｓｓａｇｉｎｇ  Ｓｙｓｔｅｍ）について」、ｇコンテンツ・ワールド２００７，ｇ−コンテンツ流通推進協議会，２００７、＜ＵＲＬ：http://www.g-contents.jp/filedown.php?item1=5&item2=13&page=134&type=1&mode=disp＞
【発明の概要】
【発明が解決しようとする課題】
【０００６】
従来特許文献１のように、誰が何時何処でＰＣをログオンしたかの証跡を残すための手段を提供するために、位置情報を利用する考えもあったが、ＰＣなどの情報機器へのアクセスした結果を管理のみにとどまっていることが多かった。
また、情報機器の使用場所を制限することができていなかった。
【０００７】
この発明は、前記のような課題を解決するためになされたものであり、情報機器の使用許可、および使用制限等のアクセス制御、および使用場所の管理をその情報機器の利用者に意識させず自動で行い、セキュリティを向上することを目的とする。
【課題を解決するための手段】
【０００８】
この発明に係るセキュリティシステムは、情報機器のロックの施解錠を制御することにより上記情報機器のセキュリティを確保するセキュリティシステムにおいて、自身の位置情報を取得するとともに取得した上記位置情報を上記情報機器にネットワークを介して送信する携帯機器を備え、上記情報機器は、予め自身の位置情報が記憶されているとともに上記携帯機器から送信された上記携帯機器の位置情報と自身の位置情報が一致するとき上記ロックを解錠する。
【発明の効果】
【０００９】
この発明に係るセキュリティシステムは、情報機器の位置情報に携帯機器の位置情報を紐付けることにより、利用者に意識させないで情報機器のアクセス制御を自動で行うためにセキュリティが向上するセキュリティシステムを得ることができる。
【図面の簡単な説明】
【００１０】
【図１】この発明の実施の形態１に係るセキュリティシステムの全体構成を表した図である。
【図２】この発明の実施の形態１に係る携帯機器（携帯電話機）を示すブロック図である。
【図３】この発明の実施の形態１に係る情報機器（ＰＣ）を示すブロック図である。
【図４】この発明の実施の形態１に係る携帯機器（携帯電話機）と情報機器（ＰＣ）との相互の処理を示すフローチャートである。
【図５】この発明の実施の形態１に係る携帯機器（携帯電話機）での位置情報取得と送信までの処理を示すフローチャートである。
【図６】この発明の実施の形態１に係る情報機器（ＰＣ）での位置情報受信とロックの施解錠の処理を示すフローチャートである。
【図７】この発明の実施の形態２に係る情報機器（ＰＣ）を示すブロック図である。
【図８】この発明の実施の形態３に係る情報機器（ＰＣ）での位置情報受信とロックの施解錠の処理を示すフローチャートである。
【発明を実施するための形態】
【００１１】
以下、本発明のセキュリティシステムの好適な実施の形態につき図面を用いて説明する。
実施の形態１．
図１は、この発明の実施の形態１に係るセキュリティシステムの全体構成を表した図である。
この発明の実施の形態１に係るセキュリティシステムは、情報機器としてのＰＣ４のセキュリティを確保する機能を有し、携帯機器として携帯電話機１を使用する例で説明する。
携帯電話機１は、基地局２を通じてネットワーク３と通信することができる。このネットワーク３を介してＰＣ４と通信することができる。また、逆にＰＣ４は携帯電話機１と通信することができる。この携帯電話機１は、ＧＰＳを使用して自身の位置情報を取得することができる。位置情報の取得方法は、ＧＰＳ衛星５からの信号を受信して位置情報を取得している。
【００１２】
図２は、この発明の実施の形態１に係る携帯電話機１の構成を示すブロック図である。  この発明の実施の形態１に係る携帯電話機１は、携帯電話機１の全体を制御する制御部２１、揮発メモリ２２、記憶部２３、操作部２４、表示部２５、位置情報取得部２６、加速度センサ２７、及び、無線部２８を有する。
位置情報取得部２６は、ＧＰＳ衛星５から受信した信号から自身の位置、無線部２８から受信した信号から基地局２の位置、及び、無線ＬＡＮのアクセスポイントの位置を所定の周期で取得する。
記憶部２３は、位置情報取得部２６が取得した位置情報を記憶する。
無線部２８は、基地局２または無線ＬＡＮアクセスポイント等との間で無線通信を行う。
【００１３】
図３は、この発明の実施の形態１に係るＰＣ４の構成を示すブロック図である。
この発明の実施の形態１に係るＰＣ４は、ＰＣ４自身を制御する制御部３１、揮発メモリ３２、記憶部３３、ネットワーク３と接続するネットワークアダプタ３４、及び、ＵＳＢ規格に準じた外部インターフェース（外部ＩＦ）３５を有する。そして、制御部３１には、操作部３６及び表示部３７が接続されている。
【００１４】
図４は、この発明の実施の形態１に係る携帯電話機１とＰＣ４との相互の処理によりＰＣ４のロックを施解錠する手順を示すフローチャートである。
次に、この発明の実施の形態１に係るセキュリティシステムの動作について説明する。
尚、携帯電話機１及びＰＣ４には本発明の実施の形態１に係るセキュリティシステムの制御用アプリケーションがインストールされている。この制御用アプリケーションは、バックグランドプロセスで動作する。
また、ＰＣ４の記憶部３３には操作部３６を操作してＰＣ４の位置の情報が記憶されている。この操作の時に携帯電話機１をＰＣ４の近傍に置き、携帯電話機１が取得する携帯電話機１の位置をＰＣ４の位置と見なし、その位置の情報を操作部３６から入力する。
【００１５】
次に、本セキュリティシステムを実行する場合について説明する。
ステップＳ１において、携帯電話機１の位置情報取得部２６は携帯電話機１の位置情報を所定の周期で取得する。
ステップＳ２において、携帯電話機１の無線部２８は位置情報取得部２６が取得した携帯電話機１の位置情報をＰＣ４へネットワーク３を介して送信する。
【００１６】
この位置情報は、不正アクセスを防ぐために暗号化されていることが望ましい。暗号化は、携帯電話機１及びＰＣ４の両方の制御用アプリケーションに予め同じパスワードを登録しておき、送信側でこのパスワードにより位置情報を暗号化、受信側で復号する。そして、携帯電話機１の場合は、パスワードとしてＳＩＭ（Ｓｕｂｓｃｒｉｂｅｒ  Ｉｄｅｎｔｉｔｙ  Ｍｏｄｕｌｅ  ｃａｒｄ）の情報を利用してもよい。
また、Ｂｌｕｅｔｏｏｔｈ等の近距離無線等により携帯電話機１とＰＣ４間で、ネットワーク３を介さず直接通信を行っても良い。
【００１７】
ステップＳ３において、ＰＣ４の制御部３１はネットワークアダプタ３４を介して携帯電話機１から送信された携帯電話機１の位置情報（Ｐ１）を受信する。
ステップＳ４において、ＰＣ４の制御部３１は記憶部３３に記憶されているＰＣ４の位置情報（Ｐ２）を読み出す。
ステップＳ５において、ＰＣ４の制御部３１は受信した携帯電話機１の位置情報（Ｐ１）に読み出したＰＣ４の位置情報（Ｐ２）が一致しているか否かを判定する。一致しているときにはステップＳ６に進み、一致していないときにはステップＳ３に戻る。
【００１８】
位置情報が一致しているか否かの判定は、携帯電話機１とＰＣ４の２つの位置情報が近似しているかどうかを判定することにより行う。２つの位置情報が近似しているか否かの判定は、２つの位置の間の距離が予め定めた閾値の範囲内にあれば近似し、２つの位置の間の距離が閾値の範囲外であれば近似していないと判定する。具体的には、例えば閾値が５ｍとすると、ステップＳ１で取得した携帯電話機１の位置Ｐ１とステップＳ４で読み出したＰＣ４の位置Ｐ２との間の距離が、５ｍ以内にあるとき２つの位置情報が一致すると判定する。
【００１９】
ステップＳ６において、ＰＣ４の制御部３１はＰＣ４のロックを解錠する。
ステップＳ７において、ＰＣ４の制御部３１はＰＣ４のロックが解錠されたことを携帯電話機１にネットワーク３を介して送信する。
ステップＳ８において、携帯電話機１の制御部２１はＰＣ４から送信されたＰＣ４のロックが解錠された旨の情報を表示部２５に表示する。
【００２０】
図５は、この発明の実施の形態１に係る携帯電話機１で行われる携帯電話機１の位置情報を取得する詳細な手順を示すフローチャートである。
ステップＳ１１において、制御部２１は加速度センサ２７から加速度のデータを取得する。
ステップＳ１２において、制御部２１は取得した加速度が所定の閾値以上か否かを判定し、加速度が所定の閾値以上のとき移動中としてステップＳ１３に進み、加速度が所定の閾値未満のとき止まっているとしてステップＳ１１に戻る。
ステップＳ１３において、制御部２１は位置情報取得部２６から携帯電話機１の位置情報を取得する。
ステップＳ１４において、制御部２１は取得した携帯電話機１の位置情報を揮発メモリ２２及び記憶部２３に記憶する。
ステップＳ１５において、制御部２１は揮発メモリ２２に記憶された携帯電話機１の位置情報をＰＣ４に送信する。
ステップＳ１６において、制御部２１は携帯電話機１の位置情報の取得を終了するか否かを判定し、終了するとき携帯電話機１の位置情報の取得の手順を終了し、継続するときステップＳ１７に進む。
ステップＳ１７において、制御部２１は携帯電話機１の位置と記憶部２３に記憶されているＰＣ４の位置の間の距離を求める。
ステップＳ１８において、制御部２１は距離が所定の閾値以下か否かを判定し、距離が所定の閾値以下のときにはステップＳ１９に進み、距離が所定の閾値を超えているときにはステップＳ１１に戻る。
ステップＳ１９において、携帯電話機１の位置情報を取得するタイミングを短くしてステップＳ１１に戻る。
【００２１】
位置情報を取得する周期は、携帯電話機１の位置とＰＣ４の位置の間の距離に基づいて変更される。上述のように２つのタイミングの間で変更しても良いが、近づくに従ってタイミングを短くしても良い。即ち、携帯電話機１の位置情報の取得の最近のタイミングで使用した携帯電話機１の位置とＰＣ４の位置の間の距離が、１回前のタイミングで使用した携帯電話機１の位置とＰＣ４の位置の間の距離より短くなった場合は、携帯電話機１の位置情報の取得の周期を所定の時間だけ短くする。逆に、携帯電話機１の位置情報の取得の最近のタイミングで使用した携帯電話機１の位置とＰＣ４の位置の間の距離が、１回前のタイミングで使用した携帯電話機１の位置とＰＣ４の位置の間の距離より長くなった場合は、携帯電話機１の位置情報の取得の周期を所定の時間だけ長くする。
【００２２】
図６は、この発明の実施の形態１に係るＰＣ４で実行される位置情報受信とロックの施解錠の手順を示すフローチャートである。
次に、ＰＣ４で実行される位置情報受信とＰＣ４のロックの施解錠の手順をより詳細に説明する。尚、一般に高度のセキュリティが求められている場合を想定し、ＰＣ４にアクセスするときは必ずパスワード入力を求められるものとする。尚、私用の情報機器等高度のセキュリティが求められていない場合、パスワード入力を省略しても良い。
ステップＳ２１において、制御部３１はネットワーク３を経由して携帯電話機１の位置情報（Ｐ１）を受信する。
ステップＳ２２において、制御部３１は記憶部３３に記憶されているＰＣ４の位置情報（Ｐ２）を読み出す。
ステップＳ２３において、制御部３１は携帯電話機１とＰＣ４の位置が一致しているか否かを判定し、一致しているときステップＳ２４に進み、一致していないときステップＳ２５に進む。
【００２３】
ステップＳ２４において、制御部３１はＰＣ４のロックが施錠されているか否かを判定し、施錠されているときステップＳ２６に進み、解錠されているときＰＣ４が利用されていると判断してステップＳ２１に戻る。
ステップＳ２５において、制御部３１はＰＣ４をスクリーンセーバなどによりロックを施錠し直しステップＳ２１に戻る。
ステップＳ２６において、制御部３１は画面にパスワードの入力を促し、利用者はパスワードを入力する。
ステップＳ２７において、制御部３１は入力されたパスワードに基づいて認証を行い、認証が成功したか否かを判定し、認証が成功したときステップＳ２８に進み、認証が不成功のときステップＳ３０に進む。
【００２４】
ステップＳ２８において、制御部３１はＰＣ４のロックを解錠し、ログイン完了画面を表示する。
ステップＳ２９において、制御部３１は携帯電話機１に認証が成功したことを送信する。
ステップＳ３０において、制御部３１はログインが失敗したことを示すエラー画面を表示する。
ステップＳ３１において、制御部３１は携帯電話機１に認証が失敗したことを送信する。
ステップＳ３２において、制御部３１はＰＣ４へのログイン処理の終了を判定し、終了を判定したとき終了し、終わらないときステップＳ２１へ戻る。
【００２５】
このようにＰＣ４から携帯電話機１に認証結果が送られるので、携帯電話機１を所持している人はＰＣ４へのアクセスの結果を知ることができる。
【００２６】
この発明の実施の形態１に係るセキュリティシステムは、ＰＣ４を利用しようとする人が携行する携帯電話機１がＰＣ４の在る場所にあるときだけＰＣ４を解錠することができるので、ＰＣ４を利用する人が携帯電話機１を意識していなくてもキーの役割を果たしており、セキュリティが向上する。
【００２７】
また、位置情報を暗号化して送信しているので、暗号化の鍵が与えられた携帯電話機１を所持する人だけがＰＣ４を利用することができ、さらにセキュリティが向上する。
尚、位置情報に携帯電話機１の識別番号を付加し、それに基づいてＰＣ４を利用する人を区別しても良い。
【００２８】
実施の形態２．
図７は、この発明の実施の形態２に係るＰＣ４Ｂの構成を示すブロック図である。
この発明の実施の形態２に係るセキュリティシステムは、この発明の実施の形態１に係るセキュリティシステムとＰＣ４Ｂが異なり、それ以外は同様であるので、同様な部分に同じ符号を付記し説明を省略する。
この発明の実施の形態２に係るＰＣ４Ｂは、図７に示すように、ＰＣ４Ｂ自身の位置情報を取得する位置情報取得部３９を備えている。この位置情報取得部３９は、携帯電話機１の位置情報取得部２６と同様であり、所定の周期でＰＣ４Ｂ自身の位置情報を取得し、取得したＰＣ４Ｂの位置情報を記憶部３３に記憶する。
そして、ＰＣ４Ｂの制御部３１が実行するＰＣ４Ｂのロックの解錠の可否の判定は、位置情報取得部３９が取得したＰＣ４Ｂの位置情報と携帯電話機１から受信した位置情報とが一致するか否かにより行う。
【００２９】
このようにＰＣ４Ｂに位置情報取得部３９を備えることにより、移動して使用する可能性の高いノート型のようなＰＣ４Ｂが盗難されても人が位置情報を入力することができないので、盗難されてもＰＣ４Ｂはロックが施錠されたままであり使用されることが防げる。
【００３０】
尚、ＰＣ４Ｂが位置情報取得部３９を内蔵していない場合、ＵＳＢなどの外部ＩＦ３５を介して、外付けの位置情報取得部（外付けユニット）４０より取得しても良い。
また、携帯電話機１の位置情報とＰＣ４Ｂの位置情報は、所定の周期で更新されるため、２つの機器の位置情報の測位時間を近似判定の判定要素のひとつとして利用してもよい。
また、所定の時間内に位置情報が取得できない場合も、携帯電話機１からのアクセス制御コマンド、またはＰＣ４Ｂ自体の判断によりＰＣ４Ｂを施錠してもよい。
【００３１】
実施の形態３．
この発明の実施の形態１に係るセキュリティシステムは、ＰＣ４のロックの施解錠の判定をＰＣ４において実行しているが、この発明の実施の形態３に係るセキュリティシステムは、ＰＣのロックの施解錠の判定を携帯電話機において実行している。
この発明の実施の形態３に係るセキュリティシステムは、使用場所が固定され、使用場所の位置情報が予め分かっているデスクトップ型のようなＰＣに適用する。そして、携帯電話機の記憶部には予め分かっているＰＣの位置情報が記憶されている。
【００３２】
図８は、この発明の実施の形態３に係る携帯電話機とＰＣとの間で行うＰＣのロックの施解錠処理の手順を示すフローチャートである。
ステップＳ４１において、携帯電話機の位置情報取得部は自身の位置情報を取得する。
ステップＳ４２において、携帯電話機の制御部は記憶部に記憶されているＰＣの位置情報を読み出す。
ステップＳ４３において、携帯電話機の制御部は携帯電話機の位置情報とＰＣの位置情報が一致するか否かを判定し、一致するときステップＳ４４に進み、一致しないときステップＳ４５に進む。
ステップＳ４４において、携帯電話機の制御部はＰＣのロックを解錠すると判定する。
ステップＳ４５において、携帯電話機の制御部はＰＣのロックを施錠すると判定する。
【００３３】
ステップＳ４６において、携帯電話機の制御部は記憶部に記憶されているＰＣのロック状態を読み出し、読み出したロック状態とロック判定とが一致するか否かを判定し、ロック状態がロック判定と一致するときステップＳ４１に戻り、ロック状態がロック判定と一致しないときステップＳ４７に進む。
ステップＳ４７において、携帯電話機の制御部はアクセス制御コマンドをＰＣに送信する。
ステップＳ４８において、ＰＣの制御部は携帯電話機からアクセス制御コマンドを受信する。
ステップＳ４９において、ＰＣの制御部はロック状態を変更する。即ち、ロックが施錠されていたときにはロックを解錠し、ロックが解錠されていたときにはロックを施錠する。
ステップＳ５０において、ＰＣの制御部は変更したロック状態の情報を携帯電話機に送信する。
【００３４】
ステップＳ５１において、携帯電話機の制御部はＰＣから送信されたロック状態の情報を受信する。
ステップＳ５２において、携帯電話機の制御部は受信したロック状態の情報を記憶部に記憶してロック施解錠処理を終了する。
尚、本セキュリティシステムの起動直後でＰＣのロック状態が不明の場合、一致しないと判定する。
【００３５】
実施の形態４．
この発明の実施の形態１に係るＰＣ４では、ＰＣ４の位置情報と携帯電話機１の位置情報が一致しないときＰＣ４のロックが施錠されている旨の画面を表示するが、この発明の実施の形態４に係るＰＣでは、ＰＣの位置情報と携帯電話機の位置情報が一致しないとき、仮のログイン画面を表示して入力されるパスワードを入手する。そして、表示部には認証エラー画面を表示して元に戻るが、同時にＰＣは携帯電話機に仮のログインの結果を送信する。仮のログインの結果としては、正しいパスワードが入力された場合と誤ったパスワードが入力された場合の２つの場合があり、仮のログイン情報として、位置情報不一致且つ認証が成功または位置情報不一致且つ認証が不成功のいずれかが携帯電話機に送信される。
【００３６】
携帯電話機ではＰＣからの仮のログイン情報に基づいてセキュリティを破ろうとする様子を把握する。即ち、位置情報不一致且つ認証が不成功のときは、ＰＣの利用が許可されていない第三者がＰＣヘアクセスしようとしたことが分かり、位置情報不一致且つ認証が成功のときは、正しいパスワードが漏れていることが分かる。
従って、パスワードの管理状態や不正アクセスが分かりなりすましの防止となる。
【００３７】
実施の形態５．
この発明の実施の形態１に係るセキュリティシステムでは、ＰＣ４の位置情報をＰＣ４に予め記憶しておき、ＰＣ４により記憶したＰＣ４の位置情報と携帯電話機１の位置情報の一致判断を行い、この発明の実施の形態３に係るセキュリティシステムでは、ＰＣの位置情報を携帯電話機に予め記憶しておき、携帯電話機により記憶したＰＣの位置情報と携帯電話機の位置情報の一致判断を行っている。
ところが、この発明の実施の形態５に係るセキュリティシステムでは、ＰＣの位置情報をネットワーク上のサーバーに予め記憶しておき、サーバーにより記憶したＰＣの位置情報と携帯電話機の位置情報の一致判断を行い、一致したときアクセス制御コマンドをＰＣに送信する。
【００３８】
実施の形態６．
この発明の実施の形態１に係るセキュリティシステムでは、携帯電話機１とＰＣ４が同じ位置にあり、且つ携帯電話機をネットワークに繋ぐことができる場合でも、屋内や地下等にあるときにはＧＰＳから位置情報が得られないので、ＰＣ４のロックを解錠することができずに、ＰＣ４にアクセスすることができないという問題が生じる。
そこで、この発明の実施の形態６に係るセキュリティシステムでは、ＰＣのアプリケーションを操作し、ＰＣから携帯電話機へＰＣのロックの解錠の要求を送信する。
本要求を受信した携帯電話機は、ダイアログ等の設定画面によりＰＣのロックの解錠の要否を決定する。ロックの解錠が必要と判断した場合、ＰＣヘアクセス制御コマンドを送信しロック解除する。ロック解除が不要と判断した場合、ＰＣヘアクセス不可である旨を送信し、ＰＣの画面上に表示する。
【００３９】
そこで、携帯電話機には、ＰＣのアプリケーションにＰＣのロックの解錠を要求するダイアログ等の設定画面等や、特定のキー押下によりロックの解錠を要求する設定をしておく。
尚、携帯電話機とＰＣが同じ位置にない場合で、ＰＣを他者に操作してもらう必要が生じた場合、携帯電話機のアプリケーションを操作し、携帯電話機からＰＣへ手動でアクセス制御コマンドを送信し、ロック解除してもよい。
【符号の説明】
【００４０】
１  携帯電話機、２  基地局、３  ネットワーク、４  ＰＣ、５  ＧＰＳ衛星、２１  制御部、２２  揮発メモリ、２３  記憶部、２４  操作部、２５  表示部、２６  位置情報取得部、２７  加速度センサ、２８  無線部、３１  制御部、３２  揮発メモリ、３３  記憶部、３４  ネットワークアダプタ、３６  操作部、３７  表示部、３９  位置情報取得部。
【図１】
2012165061.tif 000003
【図２】
2012165061.tif 000004
【図３】
2012165061.tif 000005
【図４】
2012165061.tif 000006
【図５】
2012165061.tif 000007
【図６】
2012165061.tif 000008
【図７】
2012165061.tif 000009
【図８】
2012165061.tif 000010